(57)【要約】【課題】表示品質を向上させることができるバックライトアセンブリ及びこれを有する液晶表示装置が開示されている。【解決手段】バックライトアセンブリは、収納容器、第１サイドモールド、印刷回路基板、及びランプを含む。第１サイドモールドは、収納容器の両サイドに配置される。印刷回路基板は第１サイドモールドに固定され、多数の導電性クリップ及びランプ駆動電源の伝送のための電源配線を具備する。ランプは、前記導電性クリップに結合され固定され、ランプ駆動電源に反応して光を発生する。電源配線は、導電性クリップのうち、奇数番目導電性クリップと電気的に連結される第１配線及び導電性クリップのうち、偶数番目導電性クリップと電気的に連結される第２配線を含む。第１配線及び第２配線には、互いに逆位相のランプ駆動電源が印加される。【選択図】図１
2006351527.tif 000002
【特許請求の範囲】
【請求項１】
収納容器と、
前記収納容器の両サイドに配置された第１サイドモールドと、
前記第１サイドモールドに固定され、多数の導電性クリップ及びランプ駆動電源の伝送のための電源配線を具備する印刷回路基板と、
前記導電性クリップに結合され固定され、前記ランプ駆動電源に反応して光を発生するランプと、を含むバックライトアセンブリ。
【請求項２】
前記導電性クリップは、
前記ランプが結合されるように前記印刷回路基板から突出されたことを特徴とする請求項１記載のバックライトアセンブリ。
【請求項３】
前記導電性クリップは、
前記印刷回路基板に半田付けされたことを特徴とする請求項２記載のバックライトアセンブリ。
【請求項４】
前記導電性クリップは、
互いに同じ間隔だけ離隔されるように配置されたことを特徴とする請求項２記載のバックライトアセンブリ。
【請求項５】
前記電源配線は、
前記導電性クリップのうち、奇数番目導電性クリップと電気的に連結される第１配線と、
前記導電性クリップのうち、偶数番目導電性クリップと電気的に連結される第２配線と、を含むことを特徴とする請求項１記載のバックライトアセンブリ。
【請求項６】
前記第１配線及び第２配線には、
互いに逆位相のランプ駆動電源が印加されることを特徴とする請求項５記載のバックライトアセンブリ。
【請求項７】
前記ランプは、
前記導電性クリップに固定される末端部の外面に外部電極が形成される外部電極蛍光ランプ（ＥＥＦＬ）であることを特徴とする請求項１記載のバックライトアセンブリ。
【請求項８】
前記第１サイドモールドと結合され前記印刷回路基板及び前記ランプの非発光領域をカバーする第２サイドモールドを更に含むことを特徴とする請求項１記載のバックライトアセンブリ。
【請求項９】
前記第２サイドモールドは、
前記導電性クリップの間の対応して、前記印刷回路基板方向に突出された絶縁隔壁を含むことを特徴とする請求項８記載のバックライトアセンブリ。
【請求項１０】
前記印刷回路基板には、
前記絶縁隔壁が挿入されることができるホールが形成されることを特徴とする請求項９記載のバックライトアセンブリ。
【請求項１１】
前記ランプの下部に配置された反射板と、
前記ランプの上部に配置された光学部材と、
前記ランプ駆動電源を発生するインバータと、を更に含むことを特徴とする請求項１記載のバックライトアセンブリ。
【請求項１２】
前記印刷回路基板は、
前記インバータから前記ランプ駆動電源を伝送する電源線と連結されるコネクタを更に含むことを特徴とする請求項１１記載のバックライトアセンブリ。
【請求項１３】
前記光学部材は、
光の拡散のための拡散板と、
前記拡散板の上部に配置され、光の輝度を向上させる少なくとも一つの光学シートと、を含むことを特徴とする請求項１１記載のバックライトアセンブリ。
【請求項１４】
収納容器と、
前記収納容器に収納され多数の導電性クリップ及びランプ駆動電源の伝送のための電源配線を具備する印刷回路基板と、
前記導電性クリップに結合され固定され、前記ランプ駆動電源に反応して光を発生するランプと、を含み、
前記電源配線は、
前記導電性クリップのうち、複数の導電性クリップと電気的に連結される第１配線、及び前記導電性クリップのうち、第１配線と連結されない複数の導電性クリップと電気的に連結される第２配線を含むことを特徴とするバックライトアセンブリ。
【請求項１５】
前記第１配線及び第２配線には、
互いに逆位相のランプ駆動電源が印加されることを特徴とする請求項１４記載のバックライトアセンブリ。
【請求項１６】
前記ランプは、前記導電性クリップに固定される末端部の外面に外部電極が形成された外部電極蛍光ランプであることを特徴とする請求項１５記載のバックライトアセンブリ。
【請求項１７】
光を供給するバックライトアセンブリと、
前記バックライトアセンブリからの光を利用して画像を表示するディスプレイユニットと、を含み、
前記バックライトアセンブリは、
収納容器と、
前記収納容器の両サイドに配置された第１サイドモールドと、
前記第１サイドモールドに固定され、多数の導電性クリップ及びランプ駆動電源の伝送のための電源配線を具備する印刷回路基板と、
前記導電性クリップに結合され固定され、前記ランプ駆動電源に反応して光を発生するランプと、を含むことを特徴とする液晶表示装置。
【請求項１８】
前記ランプは、
前記導電性クリップに固定される末端部の外面に外部電極が形成された外部電極蛍光ランプ（ＥＥＦＬ）であることを特徴とする請求項１７記載の液晶表示装置。
【請求項１９】
前記電源配線は、
前記導電性クリップのうち、奇数番目導電性クリップと電気的に連結される第１配線と、
前記導電性クリップのうち、偶数番目導電性クリップと電気的に連結される第２配線と、を含むことを特徴とする請求項１８記載の液晶表示装置。
【請求項２０】
前記第１配線及び第２配線には、
互いに逆位相のランプ駆動電源が印加されることを特徴とする請求項１９記載の液晶表示装置。
【請求項２１】
前記バックライトアセンブリは、
前記第１サイドモールドと結合され前記印刷回路基板の上部をカバーする第２サイドモールドを更に含むことを特徴とする請求項１８記載の液晶表示装置。
【請求項２２】
前記第２サイドモールドは、前記導電性クリップの間に対応して前記印刷回路基板方向に突出された絶縁隔壁を含み、
前記印刷回路基板には、前記絶縁隔壁が挿入されることができるホールが形成されることを特徴とする請求項２１記載の液晶表示装置。
【請求項２３】
前記ディスプレイユニットは、
前記バックライトアセンブリの上部に配置され画像を表示する液晶表示パネルと、
前記液晶表示パネルを駆動させる駆動回路部と、を含むことを特徴とする請求項１７記載の液晶表示装置。
【発明の詳細な説明】
【技術分野】
【０００１】
本発明は、バックライトアセンブリ及びこれを有する液晶表示装置に関する。
【背景技術】
【０００２】
一般に、液晶表示装置は、異方性屈折率、異方性誘電率等の光学的、電気的特性を有する液晶を利用して画像を表示する表示装置である。このような液晶表示装置は、ＣＲＴ（Cathode Ray Tube）、ＰＤＰ（Plasma Display Panel）等の他の表示装置に比べて薄く、軽量であり、低い駆動電圧及び低い消費電力を有するという長所があって、産業全般にかけて広範囲に使用されている。
【０００３】
液晶表示装置は、薄膜トランジスタ（以下、ＴＦＴ：Thin Film Transistor）基板、ＴＦＴ基板に対向するカラーフィルター基板、及び前記両基板間に配置された液晶層で構成された液晶表示パネルを含む。又、液晶表示装置は、画像を表示するための液晶表示パネル自体は発光しない非発光性素子なので、液晶表示パネルに光を供給するためのバックライトアセンブリを必要とする。
【０００４】
最近、液晶表示パネルのサイズが大型化されるにつれて、バックライトアセンブリのサイズも増加している。その結果、バックライトアセンブリは、液晶表示パネルの後面に互いに平行に配置され、液晶表示パネルに直接光を提供するランプを有する直下型バックライトアセンブリが広く使用されている。
このような直下型バックライトアセンブリは、高輝度及び輝度均一性のために多数のランプを必要とする。従って、最近では、原価節減及び駆動安定性のために、一つのインバータで複数のランプを並列駆動させることができる外部電極蛍光ランプ（ＥＥＦＬ：External Electrode Fluorescent Lamp）が開発された。
【０００５】
外部電極蛍光ランプを使用する従来のバックライトアセンブリは、外部電極が形成された外部電極蛍光ランプの末端部が導電性を有する別の固定部材に一列で連結された構造を有する。従って、固定部材に並列で連結された外部電極蛍光ランプには、同じ位相のランプ駆動電源が印加される。
【発明の開示】
【発明が解決しようとする課題】
【０００６】
しかし、同じ位相のランプ駆動電源が外部電極蛍光ランプに印加される場合、隣接した外部電極蛍光ランプ間の相互干渉によりノイズが発生して、波模様（Ｗａｔｅｒ  Ｆａｌｌ）になる等の表示不良が発生される問題点がある。
従って、本発明はこのような問題点を解決するためのもので、本発明の目的は、表示品質の向上することができるバックライトアセンブリを提供することにある。
【０００７】
又、本発明の他の目的は、前記したバックライトアセンブリを有する液晶表示装置を提供することにある。
【課題を解決するための手段】
【０００８】
本願第１発明は、収納容器と、前記収納容器の両サイドに配置された第１サイドモールドと、前記第１サイドモールドに固定され、多数の導電性クリップ及びランプ駆動電源の伝送のための電源配線を具備する印刷回路基板と、前記導電性クリップに結合され固定され、前記ランプ駆動電源に反応して光を発生するランプと、を含むバックライトアセンブリを提供する。
【０００９】
本願第２発明は、第１発明において、前記導電性クリップは、前記ランプが結合されるように前記印刷回路基板から突出されたことを特徴とするバックライトアセンブリを提供する。
本願第３発明は、第２発明において、前記導電性クリップは、前記印刷回路基板に半田付けされたことを特徴とするバックライトアセンブリを提供する。
【００１０】
本願第４発明は、第２発明において、前記導電性クリップは、互いに同じ間隔だけ離隔されるように配置されたことを特徴とするバックライトアセンブリを提供する。
本願第５発明は、第１発明において、前記電源配線は、前記導電性クリップのうち、奇数番目導電性クリップと電気的に連結される第１配線、及び前記導電性クリップのうち、偶数番目導電性クリップと電気的に連結される第２配線を含む。
【００１１】
本願第６発明は、第５発明において、前記第１配線及び第２配線には、互いに逆位相のランプ駆動電源が印加される。
隣接するランプから出射される光の波が逆位相を有するため、互いに波が打ち消し合うようになる。よって、波模様等の表示不良を除去することができる。
本願第７発明は、第１発明において、前記ランプは、前記導電性クリップに固定される末端部の外面に外部電極が形成される外部電極蛍光ランプ（ＥＥＦＬ）であることを特徴とするバックライトアセンブリを提供する。
【００１２】
本願第８発明は、第１発明において、前記第１サイドモールドと結合され前記印刷回路基板及び前記ランプの非発光領域をカバーする第２サイドモールドを更に含むことを特徴とするバックライトアセンブリを提供する。
非発光領域を遮ることにより、暗部を除去して、輝度均一性を向上させる。
本願第９発明は、第８発明において、前記第２サイドモールドは、前記導電性クリップの間に対応して、前記印刷回路基板方向に突出された絶縁隔壁を含むことを特徴とするバックライトアセンブリを提供する。
【００１３】
本願第１０発明は、第９発明において、前記印刷回路基板には、前記絶縁隔壁が挿入されることができるホールが形成されることを特徴とするバックライトアセンブリを提供する。
絶縁隔壁がホールに挿入されると、絶縁隔壁が隣接した導電性クリップ間の電気的ショートを防止して、隣接する導電性クリップの絶縁信頼性が増大する。
【００１４】
本願第１１発明は、第１発明において、前記ランプの下部に配置された反射板と、
前記ランプの上部に配置された光学部材と、を更に含むことを特徴とするバックライトアセンブリを提供する。
本願第１２発明は、第１１発明において、前記ランプ駆動電源を発生するインバータをさらに含み、前記印刷回路基板は、前記インバータから前記ランプ駆動電源を伝送する電源線と連結されるコネクタを更に含むことを特徴とするバックライトアセンブリを提供する。
【００１５】
本願第１３発明は、第１１発明において、前記光学部材は、光の拡散のための拡散板と、前記拡散板の上部に配置され、光の輝度を向上させる少なくとも一つの光学シートと、を含むことを特徴とするバックライトアセンブリを提供する。
本願第１４発明の他の特徴によるバックライトアセンブリは、収納容器、第１サイドモールド、印刷回路基板、及び外部電極蛍光ランプを含む。前記第１サイドモールドは、前記収納容器の両サイドに配置される。前記印刷回路基板は、前記第１サイドモールドに固定され、多数の導電性クリップ及びランプ駆動電源の伝送のための電源配線を具備する。前記外部電極蛍光ランプは、前記導電性クリップに固定される末端部の外面に形成された外部電極を有する。
【００１６】
本願第１５発明は、第１４発明において、前記第１配線及び第２配線には、互いに逆位相のランプ駆動電源が印加されることを特徴とするバックライトアセンブリを提供する。
本願第１６発明は、第１５発明において、前記ランプは、前記導電性クリップに固定される末端部の外面に外部電極が形成された外部電極蛍光ランプであることを特徴とするバックライトアセンブリを提供する。
【００１７】
本願第１７発明の一特徴による液晶表示装置は、光を供給するバックライトアセンブリ、及び前記バックライトアセンブリからの光を利用して画像を表示するディスプレイユニットを含む。前記バックライトアセンブリは、収納容器、第１サイドモールド、印刷回路基板、及びランプを含む。前記第１サイドモールドは、前記収納容器の両サイドに配置される。前記印刷回路基板は前記第１サイドモールドに固定され、多数の導電性クリップ及びランプ駆動電源の伝送のための電源配線を具備する。前記ランプは、前記導電性クリップに結合され固定され、前記ランプ駆動電源に反応して光を発生する。
【００１８】
本願第１８発明は、第１７発明において、前記ランプは、前記導電性クリップに固定される末端部の外面に外部電極が形成された外部電極蛍光ランプ（ＥＥＦＬ）であることを特徴とする液晶表示装置を提供する。
本願第１９発明は、第１８発明において、前記電源配線は、前記導電性クリップのうち、奇数番目導電性クリップと電気的に連結される第１配線と、前記導電性クリップのうち、偶数番目導電性クリップと電気的に連結される第２配線と、を含むことを特徴とする液晶表示装置を提供する。
【００１９】
本願第２０発明は、第１９発明において、前記第１配線及び第２配線には、
互いに逆位相のランプ駆動電源が印加されることを特徴とする液晶表示装置を提供する。
本願第２１発明は、第１８発明において、前記バックライトアセンブリは、
前記第１サイドモールドと結合され前記印刷回路基板の上部をカバーする第２サイドモールドを更に含むことを特徴とする液晶表示装置を提供する。
【００２０】
本願第２２発明は、第２１発明において、前記第２サイドモールドは、前記導電性クリップの間に対応して前記印刷回路基板方向に突出された絶縁隔壁を含み、前記印刷回路基板には、前記絶縁隔壁が挿入されることができるホールが形成されることを特徴とする液晶表示装置を提供する。
本願第２３発明は、第１７発明において、前記ディスプレイユニットは、前記バックライトアセンブリの上部に配置され画像を表示する液晶表示パネルと、前記液晶表示パネルを駆動させる駆動回路部と、を含むことを特徴とする液晶表示装置を提供する。
【発明の効果】
【００２１】
このようなバックライトアセンブリ及びこれを有する液晶表示装置によると、外部電極蛍光ランプに同じ位相のランプ駆動電源を印加した時に発生される波模様不良を除去して、表示品質を向上させることができる。
【発明を実施するための最良の形態】
【００２２】
以下、添付図面を参照して、本発明の好ましい実施例をより詳細に説明する。
図１は、本発明の一実施例によるバックライトアセンブリを示す分解斜視図であり、図２は、図１に図示されたバックライトアセンブリの結合構造を示す斜視図である。
図１及び図２を参照すると、本発明の一実施例によるバックライトアセンブリ１００は、収納容器１１０、第１サイドモールド１２０、印刷回路基板２００、及びランプ１３０を含む。
【００２３】
収納容器１１０は、底部１１２及び底部１１２のエッジから延長され収納空間を形成する側部１１４で構成される。収納容器１１０は強度に優れ、変形が少ない物質からなる。例えば、収納容器１１０は金属からなる。
第１サイドモールド１２０は、ランプ１３０の両端部に対応して収納容器１１０の内部の両サイドに配置される。第１サイドモールド１２０は、印刷回路基板２００が固定される結合部１２２及び結合部１２２から垂直に延長される側壁１２４で構成される。結合部１２２は収納容器１１０の底部１１２に対応され、側壁１２４は収納容器１１０の側壁１１４に対応される。第１サイドモールド１２０は、金属材質の収納容器１１０と印刷回路基板２００との間の絶縁のために絶縁物質からなる。これにより、収納容器１１０に高電圧が印加された場合でも、内部の印刷回路基板２００を保護することができる。なお、収納容器１１０と印刷回路基板２００とを絶縁させることができるのであれば、第１サイドモールドは必ずしも設ける必要はない。
【００２４】
印刷回路基板２００は、収納容器１１０の両サイドに配置された第１サイドモールド１２０に固定される。印刷回路基板２００は、ランプ１３０との結合のための多数の導電性クリップ２１０及びランプ１３０の駆動のためのランプ駆動電源を伝送するための電源配線２２０を具備する。
電源配線２２０は、インバータ１７０から供給されるランプ駆動電源を導電性クリップ２１０に伝送するために、導電性クリップ２１０と電気的に連結される。導電性クリップ２１０は、電源配線２２０を通じて伝送されたランプ駆動電源をランプ１３０に印加するために金属からなる。導電性クリップは、複数のランプを固定するとともに、電源配線を介してランプ駆動電源をランプに供給する役目を果たす。
【００２５】
印刷回路基板２００は、ねじ締結を通じて第１サイドモールド１２０に固定される。これと異なり、印刷回路基板２００は接着テープ等の接着手段を通じて第１サイドモールド１２０に固定されることができる。
ランプ１３０は印刷回路基板２００の導電性クリップ２１０に結合され、互いに平行に配置される。ランプ１３０は、導電性クリップ２１０に固定される末端部の外面に外部電極１３２が形成された外部電極蛍光ランプ（ＥＥＦＬ）で構成される。外部電極蛍光ランプ１３０は、インバータ１７０から発生され電源配線２２０及び導電性クリップ２１０を通じて外部電極１３２に印加されるランプ駆動電源に反応して光を発生する。
【００２６】
図３は、図１に図示された印刷回路基板を具体的に示す斜視図であり、図４は、図３に図示された印刷回路基板の平面図である。
図３及び図４を参照すると、印刷回路基板２００は導電性クリップ２１０及び電源配線２２０を含む。
導電性クリップ２１０は、電源配線２２０を通じて伝送されるランプ駆動電源をランプ１３０の外部電極１３２に印加するために金属からなる。
【００２７】
導電性クリップ２１０は、ランプ１３０が結合されるように印刷回路基板２００の上面から突出された構造を有する。導電性クリップ２１０は、ランプ１３０が挿入されるように上部が開口された形状を有する。
導電性クリップ２１０は、ランプ１３０が等間隔に配置されるために、印刷回路基板２００上に互いに同じ間隔に離隔するように配置される。例えば、光の波の位相を考慮し、最も波が打ち消しやすい間隔に導電性クリップ２１０及びランプを配置するのが好ましい。例えば、導電性クリップ２１０の間隔は、光の波長の半分程度であると好ましい。これと異なり、位置によってランプ１３０の間隔を互いに異なるように配置するために、導電性クリップ２１０を互いに異なる間隔に配置することもできる。
【００２８】
導電性クリップ２１０は、印刷回路基板２００上に半田付けを通じて固定される。これと異なり、導電性クリップ２１０は、印刷回路基板２００上に一体に形成されるか、導電性接着剤を通じて電気的に連結される等の多様な方法によって印刷回路基板２００上に形成されることができる。
電源配線２２０は、金属膜のパターニングを通じて印刷回路基板２００上に形成される。電源配線２２０は、インバータ１７０から供給されるランプ駆動電源を導電性クリップ２１０に伝送するために、導電性クリップ２１０と電気的に連結される。
【００２９】
電源配線２２０は、導電性クリップ２１０のうち、奇数番目導電性クリップ２１０ａと電気的に連結される第１配線２２２、及び導電性クリップ２１０のうち、偶数番目導電性クリップ２１０ｂと電気的に連結される第２配線２２４を含む。
第１配線２２２及び第２配線２２４には、ランプ１３０が逆位相駆動されると、互いに逆位相のランプ駆動電源が印加される。
【００３０】
具体的に、インバータ１７０から供給されるランプ駆動電源は、同じ周波数を有する第１交流電源及び第２交流電源を含む。この際、第１交流電源と第２交流電源は同じレベルの電位を有しながら、互いに逆位相を有する。第１交流電源は、第１配線２２２を通じて奇数番目導電性クリップ２１０ａに伝達され、第２交流電源は、第２配線２２４を通じて偶数番目導電性クリップ２１０ｂに伝達される。従って、奇数番目導電性クリップ２１０ａに結合されたランプ１３０は第１交流電源によって駆動され、偶数番目導電性クリップ２１０ｂに結合されたランプ１３０は、第１交流電源と逆位相を有する第２交流電源によって駆動される。
【００３１】
このように、互いに隣接するランプ１３０間に互いに逆位相を有するランプ駆動電源を印加することにより、隣接するランプから発生する波が打ち消し合うようになる。よって、波模様等の表示不良を除去することができる。
一方、電源配線２２０と導電性クリップ２１０との間の連結関係を変更することにより、ランプ１３０を多様な方式で並列駆動させることができる。
【００３２】
印刷回路基板２００は、インバータ１７０から発生したランプ駆動電源を印刷回路基板２００に伝送するための電源線１７２と連結されるコネクタ２３０を更に含む。コネクタ２３０は、第１配線２２２及び第２配線２２４と電気的に連結される。従って、コネクタ２３０に締結された電源線１７２は、第１配線２２２及び第２配線２２４と電気的に連結される。このように、コネクタ２３０を通じて簡単に電源線１７２を連結することにより、電源線１７２を連結するための半田付け作業を除去することができる。
【００３３】
又、印刷回路基板２００には、電源配線２２０を絶縁させて保護するための絶縁膜がコーティングされることができる。
図１を参照すると、バックライトアセンブリ１００は、第１サイドモールド１２０と結合され印刷回路基板２００の上部をカバーする第２サイドモールド１４０を更に含む。
第２サイドモールド１４０は、実質的に光を発生しないランプ１３０の非発光領域、即ち、外部電極１３２領域を遮ることにより、暗部を除去して、輝度均一性を向上させる。第２サイドモールド１４０は、上部に配置される光学部材１６０を支持し、光学部材１６０の収納位置をガイドする。第２サイドモールド１４０は、光学部材１６０の収納位置をガイドするためのガイド部１４２を更に含むことができる。
【００３４】
図５は、図１に図示された第２サイドモールドの背面を示す斜視図である。
図１及び図５を参照すると、第２サイドモールド１４０は、収納容器１１０の底部１１２と平行な上部面１４３、及び上部面１４３から底部１１２方向に傾斜するように延長される傾斜面１４４ａ、傾斜面１４４ａから延在し、底部１１２と垂直な垂直面１４４ｂを含む。傾斜面１４４ａには、ランプ１３０の位置に対応して開口１４５が形成される。
【００３５】
第２サイドモールド１４０は、上部面１４３から印刷回路基板２００方向に突出された絶縁隔壁１４６を含む。絶縁隔壁１４６は、ランプ１３０の間に対応されるように、即ち、印刷回路基板２００の導電性クリップ２１０の間に対応されるように形成される。
絶縁隔壁１４６は、導電性クリップ２１０の間に配置される。絶縁隔壁１４６は、第１交流電源と第２交流電源との間の位相差によって発生される信号歪曲等の問題が発生しないように、導電性クリップ２１０間の充分な絶縁距離を確保する役割を果たす。
【００３６】
図６は、図４に図示された印刷回路基板の他の実施例を示す平面図である。
図６を参照すると、他の実施例による印刷回路基板３００は、導電性クリップ３１０、第１配線３２２及び第２配線３２４で構成された電源配線３２０、及びコネクタ３３０を含む。
導電性クリップ３１０、電源配線３２０、及びコネクタ３３０は、図４に図示されたものと同じ構造を有するので、その重複説明は省略する。
【００３７】
本実施例において、印刷回路基板３００には導電性クリップ３１０の間に対応してホール３４０が形成される。ホール３４０の形成位置は、第２サイドモールド１４０に形成された絶縁隔壁１４６の位置に対応する位置である。従って、第２サイドモールド１４０が印刷回路基板３００の上部に組み立てられる時、絶縁隔壁１４６は、印刷回路基板３００のホール３４０に挿入される。
【００３８】
このように、絶縁隔壁１４６がホール３４０に挿入されると、前記絶縁隔壁１４６が隣接した導電性クリップ３１０間の電気的ショートを防止して、隣接する導電性クリップ３１０の絶縁信頼性が増大する。
図１を更に参照すると、バックライトアセンブリ１００は、ランプ１３０の下部に配置された反射板１５０、ランプ１３０の上部に配置された光学部材１６０、及びランプ駆動電源を発生するインバータ１７０を更に含む。
【００３９】
反射板１５０は収納容器１１０の底部１１２上に配置され、ランプ１３０から発生された光を上部方向に反射させて、光の利用効率を向上させる。反射板１５０は、光反射率の高い物質からなる。例えば、反射板１５０は、白色のポリエチレンテレフタレート（ＰＥＴ）又はポリカボネート（ＰＣ）材質からなる。一方、反射板１５０は、収納容器１１０自体が光反射率の高い物質からなる場合、除去されることができる。
【００４０】
光学部材１６０は、ランプ１３０の上部に配置され出射される光の輝度特性を向上させる。光学部材１６０は、光の拡散のための拡散板１６２及び光の輝度を増加させるための少なくとも一つの光学シート１６４で構成される。
拡散板１６２は、ランプ１３０から発生された光を拡散させて、輝度均一性を向上させる。拡散板１６０は、所定の厚さを有する四角形のプレート形状を有する。拡散板１６０は、第２サイドモールド１４０の支持によってランプ１３０と一定の間隔だけ離隔されるように配置される。拡散板１６２は、一例として、ポリメチルメタクリレート（ＰＭＭＡ）材質からなり、内部に光の拡散のための拡散剤を含むことができる。
【００４１】
光学シート１６４は拡散板１６２の上部に配置され、拡散板１６２を通じて拡散された光の経路をもう一度変更して、輝度を向上させる。光学シート１６４は、拡散板１６２を通じて拡散された光を正面方向に集光させて、光の正面輝度を向上させるためのプリズムシートを含むことができる。又、光学シート１６４は、拡散板１６２を通じて拡散された光をもう一度拡散させて、輝度均一性を向上させるための拡散シートを含むことができる。又、光学シート１６４は特定条件を満足する光は透過させ、残りの光は反射させる方式で光の輝度を増加させる反射偏光シートを含むことができる。一方、バックライトアセンブリ１００には、要求される輝度特性によって多様な機能の光学シートが追加されても良いし、又は除去されても良い。
【００４２】
インバータ１７０は収納容器１１０の背面に配置され、ランプ１３０の駆動のためのランプ駆動電源を発生する。インバータ１７０は、外部から印加される低電位の交流電源をランプ１３０の駆動に適合な高電位の交流電源に昇圧して、ランプ駆動電源を出力する。
インバータ１７０から出力されるランプ駆動電源は、図４に示すように、電源線１７２とコネクタ２３０の連結によって印刷回路基板２００に印加される。インバータ１７０から出力されるランプ駆動電源は、第１交流電源及び第２交流電源を含む。この際、第１交流電源と第２交流電源は同じレベルの電位を有しながら、互いに逆位相を有する。ランプ１３０の逆位相の駆動のために、第１交流電源は、第１配線２２２を通じて奇数番目導電性クリップ２１０ａに印加され、第２交流電源は、第２配線２２４を通じて偶数番目導電性クリップ２１０ｂに印加される。
【００４３】
図７は、本発明の一実施例による液晶表示装置を示す分解斜視図である。
図７を参照すると、本発明の一実施例による液晶表示装置４００は、光を供給するバックライトアセンブリ１００及びバックライトアセンブリ１００からの光を利用して画像を表示するディスプレイユニット５００を含む。
本実施例において、バックライトアセンブリ１００は、ミドルモールド４１０を含むことを除いては、図１乃至図６に図示された多様な実施例と同じ構成を有することができる。従って、その重複される詳細な説明は省略する。
【００４４】
ミドルモールド４１０は、収納容器１１０と結合され光学部材１６０を固定する。ミドルモールド４１０は、光学部材１６０のエッジを固定しながら、収納容器１１０の側部１１４と結合される。ミドルモールド４１０は、液晶表示パネル５１０の収納位置をガイドする。ミドルモールド４１０は、サイズが大きくなるほど、一つの一体型に製作するのが難しくなるので、２つ又は４つの片に分割された構造を有することができる。
【００４５】
ディスプレイユニット５００は、バックライトアセンブリ１００の上部に配置され画像を表示する液晶表示パネル５１０及び液晶表示パネル５１０を駆動させる駆動回路部５２０を含む。
液晶表示パネル５１０は、第１基板５１２、第１基板５１２と対向して結合される第２基板５１４、及び第１基板５１２と第２基板５１４との間に介在された液晶層５１６を含む。
【００４６】
第１基板５１２は、スイッチング素子である薄膜トランジスタ（以下、ＴＦＴと称する）がマトリックス形態に形成されたＴＦＴ基板である。一例として、第１基板５１２は、光の透過のために透明なガラス材質からなる。前記ＴＦＴのソース端子及びゲート端子には、それぞれデータライン及びゲートラインが連結され、ドレイン端子には透明な導電性材質からなる画素電極が連結される。
【００４７】
第２基板５１４は、色を具現するためのＲＧＢ画素が薄膜形態に形成されたカラーフィルター基板である。第２基板５１４は、一例として、透明なガラス材質からなる。第２基板５１４には、透明な導電性材質からなる共通電極が形成される。
このような構成を有する液晶表示パネル５１０は、前記ＴＦＴのゲート端子に電源が印加されＴＦＴがターンオンされると、画素電極と共通電極との間には電界が形成される。このような電界によって第１基板５１２と第２基板５１４との間に介在された液晶層５１６の液晶分子の配列が変化され、液晶分子の配列変化によってバックライトアセンブリ１００から供給される光の透過度が変更され、所望の階調の画像を表示することになる。
【００４８】
駆動回路部５２０は、液晶表示パネル５１０にデータ駆動信号を供給するデータ印刷回路基板５２２、液晶表示パネル５１０のゲート駆動信号を供給するゲート印刷回路基板５２４、データ印刷回路基板５２２を液晶表示パネル５１０に連結するデータ駆動回路フィルム５２６、及びゲート印刷回路基板５２４を液晶表示パネル５１０に連結するゲート駆動回路フィルム５２８を含む。データ駆動回路フィルム５２６及びゲート駆動回路フィルム５２８は、例えば、テープキャリアパッケージ（ＴＣＰ）又はチップオンフィルム（ＣＯＦ）で構成される。一方、ゲート印刷回路基板５２４は、液晶表示パネル５１０及びゲート駆動回路フィルム５２８に別の信号配線を形成することにより、除去されることができる。
【００４９】
液晶表示装置４００は、ディスプレイユニット５００を固定するためのトップシャーシ４２０を更に含む。トップシャーシ４２０は、収納容器１１０と結合され液晶表示パネル５１０のエッジを固定する。この際、データ印刷回路基板５２２は、データ駆動回路フィルム５２６によって折り曲げられ、収納容器１１０の側部及び底部に固定される。トップシャーシ４２０は、一例として、変形が少なく、強度が優れた金属からなる。
このようなバックライトアセンブリ及びこれを有する液晶表示装置によると、外部電極蛍光ランプを固定するための導電性クリップとランプ駆動電源の伝送のための電源配線を具備した印刷回路基板を使用して外部電極蛍光ランプに対する逆位相駆動を実現することができる。
【００５０】
又、逆位相駆動方式を通じて波模様等の表示不良を除去して、表示品質を向上させることができる。
以上、本発明の実施例によって詳細に説明したが、本発明はこれに限定されず、本発明が属する技術分野において通常の知識を有するものであれば本発明の思想と精神を離れることなく、本発明を修正または変更できる。
【産業上の利用可能性】
【００５１】
本発明は、外部電極蛍光ランプを含む液晶表示装置に適用可能である。
【図面の簡単な説明】
【００５２】
【図１】本発明の一実施例によるバックライトアセンブリを示す分解斜視図である。
【図２】図１に図示されたバックライトアセンブリの結合構造を示す斜視図である。
【図３】図１に図示された印刷回路基板を具体的に示す斜視図である。
【図４】図３に図示された印刷回路基板の平面図である。
【図５】図１に図示された第２サイドモールドの背面を示す斜視図である。
【図６】図４に図示された印刷回路基板の他の実施例を示す平面図である。
【図７】本発明の一実施例による液晶表示装置を示す分解斜視図である。
【符号の説明】
【００５３】
１００    バックライトアセンブリ
１１０    収納容器
１２０    第１サイドモールド
１３０    ランプ
１３２    外部電極
１４０    第２サイドモールド
１４６    絶縁隔壁
１５０    反射板
１６０    光学部材
１６２    拡散板
１６４    光学シート
１７０    インバータ
２００    印刷回路基板
２１０    導電性クリップ
２２０    電源配線
２２２    第１配線
２２４    第２配線
２３０    コネクタ
３４０    ホール
４００    液晶表示装置
４１０    ミドルモールド
４２０    トップシャーシ
５００    ディスプレイユニット
５１０    液晶表示パネル
５２０    駆動回路部
【図１】
2006351527.tif 000003
【図２】
2006351527.tif 000004
【図３】
2006351527.tif 000005
【図４】
2006351527.tif 000006
【図５】
2006351527.tif 000007
【図６】
2006351527.tif 000008
【図７】
2006351527.tif 000009